【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
主玩具体と、
前記主玩具体に着脱可能に取り付けられる副玩具体と、
を備え、
前記副玩具体は、
被操作部と、
前記被操作部が所定回数操作される毎に表示を変化させる表示部と、
を有し、
前記主玩具体は、
操作部を有し、
前記操作部において所定の操作がされる毎に前記主玩具体に取り付けられた前記副玩具体の前記被操作部が所定回数操作される玩具。
【請求項２】
請求項１記載の玩具であって、
前記主玩具体は、
動作部と、前記動作部を動作させるための動作情報を記憶した動作情報記憶部と、
前記操作部が操作される毎に、前記動作情報を前記動作情報記憶部から読み出し、読み出した前記動作情報に基づいて前記動作部を動作させる動作制御部と、
をさらに有する玩具。
【請求項３】
請求項１または２記載の玩具であって、
前記表示部は、環状に並ぶ複数の表示面を含み、前記被操作部が所定回数操作される毎に複数の前記表示面の並びの中心軸まわりに所定角度回転されて表示を変化させる玩具。
【請求項４】
請求項３記載の玩具であって、
前記被操作部は、
前記中心軸と同軸の環状且つのこぎり波状に形成された第１カム部、及び前記中心軸と同軸の環状且つ三角波状に形成された第２カム部を有し、前記表示部と一体に回転されるカムと、
前記中心軸に沿って並進移動可能であり、並進移動に伴って前記第１カム部を摺動する第１フォロアと、
前記中心軸に沿って移動可能に設けられ、前記カムの回転に伴って前記第２カム部を摺動する第２フォロアと、
前記第２フォロアを前記中心軸に沿って前記第２カム面に押し付ける付勢部材と、
を含む玩具。
【請求項５】
請求項１記載の玩具であって、
前記副玩具体は、該副玩具体の種類情報を保持した種類情報保持部をさらに有し、
前記主玩具体は、
動作部と、
該主玩具体に取り付けられた前記副玩具体の前記種類情報保持部から前記種類情報を取得する種類情報取得部と、
前記動作部を動作させるための動作情報であって、前記種類情報に対応付けられた動作情報を記憶した動作情報記憶部と、
前記種類情報取得部によって取得された前記種類情報に対応する前記動作情報を前記動作情報記憶部から読み出し、前記操作部において所定の操作がされる毎に、読み出した前記動作情報に基づいて前記動作部を動作させる動作制御部と、
をさらに有する玩具。
【請求項６】
請求項５記載の玩具であって、
前記表示部は、環状に並ぶ複数の表示面を含み、前記被操作部が所定回数操作される毎に複数の前記表示面の並びの中心軸まわりに所定角度回転されて表示を変化させる玩具。
【請求項７】
請求項６記載の玩具であって、
前記被操作部は、
前記中心軸と同軸の環状且つのこぎり波状に形成された第１カム部、及び前記中心軸と同軸の環状且つ三角波状に形成された第２カム部を有し、前記表示部と一体に回転されるカムと、
前記中心軸に沿って並進移動可能であり、並進移動に伴って前記第１カム部を摺動する第１フォロアと、
前記中心軸に沿って移動可能に設けられ、前記カムの回転に伴って前記第２カム部を摺動する第２フォロアと、
前記第２フォロアを前記中心軸に沿って前記第２カム面に押し付ける付勢部材と、
を含む玩具。
【手続補正２】
【補正対象書類名】明細書
【補正対象項目名】０００７
【補正方法】変更
【補正の内容】
【０００７】
本発明に係る玩具は、主玩具体と、前記主玩具体に着脱可能に取り付けられる副玩具体と、を備え、前記副玩具体は、被駆動部と、前記被駆動部が１回駆動される毎に表示を変化させる表示部と、を有し、前記主玩具体は、操作部と、当該主玩具体に取り付けられた前記副玩具体の前記被駆動部に係合可能であり、前記操作部において所定の操作がされる毎に前記被駆動部を１回駆動する中継部と、を有することを特徴とする。また、本発明に係る玩具は、主玩具体と、前記主玩具体に着脱可能に取り付けられる副玩具体と、を備え、前記副玩具体は、被操作部と、前記被操作部が所定回数操作される毎に表示を変化させる表示部と、を有し、前記主玩具体は、操作部を有し、前記操作部において所定の操作がされる毎に前記主玩具体に取り付けられた前記副玩具体の前記被操作部が所定回数操作されることを特徴とする。
【手続補正３】
【補正対象書類名】明細書
【補正対象項目名】０００９
【補正方法】変更
【補正の内容】
【０００９】
また、本発明に係る玩具においては、前記表示部は、環状に並ぶ複数の表示面を含み、前記被駆動部が１回駆動される毎に複数の前記表示面の並びの中心軸まわりに所定角度回転されて表示を変化させてもよい。また、本発明に係る玩具においては、前記表示部は、環状に並ぶ複数の表示面を含み、前記被操作部が所定回数操作される毎に複数の前記表示面の並びの中心軸まわりに所定角度回転されて表示を変化させてもよい。
【手続補正４】
【補正対象書類名】明細書
【補正対象項目名】００１０
【補正方法】変更
【補正の内容】
【００１０】
また、本発明に係る玩具においては、前記被駆動部は、前記中心軸と同軸の環状且つのこぎり波状に形成された第１カム部、及び前記中心軸と同軸の環状且つ三角波状に形成された第２カム部を有し、前記表示部と一体に回転されるカムと、前記中継部の移動に応じて前記中心軸に沿って並進移動され、並進移動に伴って前記第１カム部を摺動する第１フォロアと、前記中心軸に沿って移動可能に設けられ、前記カムの回転に伴って前記第２カム部を摺動する第２フォロアと、前記第２フォロアを前記中心軸に沿って前記第２カム部に押し付ける付勢部材と、を含んでもよい。また、本発明に係る玩具においては、前記被操作部は、前記中心軸と同軸の環状且つのこぎり波状に形成された第１カム部、及び前記中心軸と同軸の環状且つ三角波状に形成された第２カム部を有し、前記表示部と一体に回転されるカムと、前記中心軸に沿って並進移動可能であり、並進移動に伴って前記第１カム部を摺動する第１フォロアと、前記中心軸に沿って移動可能に設けられ、前記カムの回転に伴って前記第２カム部を摺動する第２フォロアと、前記第２フォロアを前記中心軸に沿って前記第２カム部に押し付ける付勢部材と、を含んでもよい。
【手続補正５】
【補正対象書類名】明細書
【補正対象項目名】００１１
【補正方法】変更
【補正の内容】
【００１１】
また、本発明に係る玩具においては、前記副玩具体は、該副玩具体の種類情報を保持した情報保持部をさらに有し、前記主玩具体は、動作部と、該主玩具体に取り付けられた前記副玩具体の前記種類情報保持部から前記種類情報を取得する種類情報取得部と、前記動作部を動作させるための動作情報であって、前記種類情報に対応付けられる動作情報を記憶した動作情報記憶部と、前記種類情報取得部によって取得された前記種類情報に対応する前記動作情報を前記動作情報記憶部から読み出し、前記操作部が操作される毎に、読み出した前記動作情報に基づいて前記動作部を動作させる動作制御部と、をさらに有してもよい。また、本発明に係る玩具においては、前記副玩具体は、該副玩具体の種類情報を保持した情報保持部をさらに有し、前記主玩具体は、動作部と、該主玩具体に取り付けられた前記副玩具体の前記種類情報保持部から前記種類情報を取得する種類情報取得部と、前記動作部を動作させるための動作情報であって、前記種類情報に対応付けられる動作情報を記憶した動作情報記憶部と、前記種類情報取得部によって取得された前記種類情報に対応する前記動作情報を前記動作情報記憶部から読み出し、前記操作部において所定の操作がされる毎に、読み出した前記動作情報に基づいて前記動作部を動作させる動作制御部と、をさらに有してもよい。
【手続補正６】
【補正対象書類名】明細書
【補正対象項目名】００１２
【補正方法】変更
【補正の内容】
【００１２】
また、本発明に係る玩具においては、前記表示部は、環状に並ぶ複数の表示面を含み、前記被駆動部が１回駆動される毎に複数の前記表示面の並びの中心軸まわりに所定角度回転されて表示を変化させてもよい。また、本発明に係る玩具においては、前記表示部は、環状に並ぶ複数の表示面を含み、前記被操作部が所定回数操作される毎に複数の前記表示面の並びの中心軸まわりに所定角度回転されて表示を変化させてもよい。
【手続補正７】
【補正対象書類名】明細書
【補正対象項目名】００１３
【補正方法】変更
【補正の内容】
【００１３】
また、本発明に係る玩具においては、前記被駆動部は、前記中心軸と同軸の環状且つのこぎり波状に形成された第１カム部、及び前記中心軸と同軸の環状且つ三角波状に形成された第２カム部を有し、前記表示部と一体に回転されるカムと、前記中継部の移動に応じて前記中心軸に沿って並進移動され、並進移動に伴って前記第１カム部を摺動する第１フォロアと、前記中心軸に沿って移動可能に設けられ、前記カムの回転に伴って前記第２カム部を摺動する第２フォロアと、前記第２フォロアを前記中心軸に沿って前記第２カム部に押し付ける付勢部材と、を含んでもよい。また、本発明に係る玩具においては、前記被操作部は、前記中心軸と同軸の環状且つのこぎり波状に形成された第１カム部、及び前記中心軸と同軸の環状且つ三角波状に形成された第２カム部を有し、前記表示部と一体に回転されるカムと、前記中心軸に沿って並進移動可能であり、並進移動に伴って前記第１カム部を摺動する第１フォロアと、前記中心軸に沿って移動可能に設けられ、前記カムの回転に伴って前記第２カム部を摺動する第２フォロアと、前記第２フォロアを前記中心軸に沿って前記第２カム部に押し付ける付勢部材と、を含んでもよい。